(57)【要約】【課題】一枚のシート材の４辺の縁部を折り曲げて立ち上げ、シート材の中央部分を容器の底面とし、その立ち上げ部を容器の枠とした簡易容器において、通常の熱融着あるいは接着による簡易容器と同様に、コーナー部も安定しており、また、容器からの汁漏れも防止できる簡便な手段を提供する。【解決手段】立ち上げられた枠コーナー部の固定手段として、コーナー部で当接する枠材を枠材の内外面と接する相対する内外面と、枠材の幅を内部幅とする頂部面を有する上方から嵌合する嵌合部材から構成した。【選択図】　図４
2004083019.tif 000002
【特許請求の範囲】
【請求項１】
一枚のシート材の４辺の縁部を折り曲げて立ち上げ、その立ち上げ部を容器の枠とし、シート材の中央部分を容器の底面とし、前記枠のコーナー部を固定した簡易容器であって、
枠のコーナー部の固定手段が、コーナー部で当接する枠材を上方から嵌合する嵌合部材からなる食品用簡易容器。
【請求項２】
嵌合部材が、コーナー部で当接する枠材の内外面と接する相対する内外面と、枠材の幅を内部幅とする頂部面を有する請求項１に記載の食品用簡易容器。
【請求項３】
コーナー部で当接する枠の内外面と接する相対する嵌合部材の内外面の中、外面を内面よりも長く形成した請求項２に記載の食品用簡易容器。
【請求項４】
コーナー部で当接する枠材の内外面と接する相対する嵌合部材の内外面の中、内面の高さを枠の内面の高さとし、その先端を容器の底面に当接せしめた請求項２に記載の食品用簡易容器。
【請求項５】
嵌合部材の頂部面の内面に下向き突起を複数形成した請求項２に記載の食品用簡易容器。
【請求項６】
一枚のシート材の４辺の縁部の折り曲げ部分にＶ字溝の折り目を形成し、折り曲げ部分の立ち上げ時に当接するＶ字溝面の相対する面に相互に嵌合する凹凸条を形成した請求項１に記載の食品用簡易容器。
【発明の詳細な説明】
【０００１】
【発明の属する技術分野】本発明は一枚のシートから組み立てられた寿司、その他の加工食品の持ち帰りに際しての収納に適した簡易容器に関する。
【０００２】
【従来の技術】
従来から、係る簡易容器として、薄いプラスチック板からなる底板あるいは内容器に、発泡プラスチックからなる枠材を、熱融着、あるいは接着剤で接合して組み立てた構造のものが使用されてきた。この接合型の簡易容器に代わって一枚のシートの４辺を立ち上げて枠とし、その中心部分を底面とした簡易容器が考えられるようになった。
【０００３】
この一枚のシートからなる簡易容器は、組み立てが簡単で、また、出発材も１枚のシートだけで済み、出発材の調製にも手間がかからないという利点がある。
【０００４】
ところが、このような簡易容器は、立ち上げた枠のコーナー部の連結固定が問題で、粘着テープやホッチキスによって枠コーナー部を固定することが試みられてきたが、結構手間を要し、見た目も良くないという欠点がある。
【０００５】
また、このような加工食品用の簡易食品容器ではないが、段ボールのトレーを１枚のシートを折り曲げて製作するに当たって、立ち上げられた枠のコーナー部を連結固定するコーナー部材を利用することが、特開２００１−３９４３３号公報に開示されている。　このようなコーナー部材を本発明の対象である加工食品のための簡易容器に適用することも考えられたが、そのコーナー部材が嵩張って、商品としての違和感をもたらすばかりではなく、また、シート材として、発泡プラスチック材では連結した枠が外れやすく、食品用簡易容器には不適当である。
【０００６】
【発明が解決しようとする課題】
本発明は、一枚のシート材の４辺の縁部を折り曲げて立ち上げ、その立ち上げ部を容器の枠とした簡易容器において、通常の熱融着あるいは接着による簡易容器と同様に、コーナー部も安定しており、また、容器からの汁漏れも防止できる簡便な手段を提供する。
【０００７】
【課題を解決するための手段】
本発明に係る一枚のシート材の４辺の縁部を折り曲げて立ち上げ、その立ち上げ部を容器の枠とし、シート材の中央部分を容器の底面とし、前記枠のコーナー部を固定した食品用簡易容器の特徴は、立ち上げられた枠コーナー部の固定手段と、各当接部分のシール手段にある。
【０００８】
本発明に係る枠コーナー部の固定手段、いわゆるコーナー部材としては、コーナー部で当接する枠材を上方から嵌合する嵌合部材が使用される。　この嵌合部材は、コーナー部で当接して直角な角を形成する枠材の内外面と接する相対する内外面を持ち、その頂部面の内部幅をほぼ枠材の幅としたものである。
【０００９】
この嵌合部材は、立ち上げられた枠コーナーを適宜な手段で抑えながら、コーナー部に嵌合されるが、コーナー部で当接する枠の内外面と接する相対する嵌合部材の内外面の中、外面を内面よりも長く形成することによって、嵌合部材のコーナー部への嵌合による装着を簡単に行うことができる。
【００１０】
さらに、この嵌合部材の内面の高さを枠の内面の高さとし、その先端を容器の底面に当接せしめることによって当接する枠材の間隙を覆うことができ、これによって、収納加工食品からの汁の漏れを防止することができる。
【００１１】
さらに、嵌合部材の頂部面の内面には、下向き突起を複数形成することによって、当接する枠の外れを防ぐことができる。
【００１２】
【発明の実施の形態】
本発明の実施の形態を実施例に基づいて説明する。
【００１３】
図１は容器本体に組み立てる前のシート材１を示す。　このシート材１としては、発泡樹脂、薄木板、厚紙等が使用できるが、この実施例の場合は、シート材１として、５ｍｍ程度の厚みの発泡ポリスチレン、発泡ポリプロピレン、発泡ポリエチレン等の発泡樹脂が使用された例を示す。　図１に示すように、シート材１は、中央部分の四辺形の底面部１１と、この底面部１１の外側縁部に、Ｖ字状溝をなす折り目１２を介して折り曲げて立ち上げられて容器枠を形成する４個の枠形成部１３から構成されている。
【００１４】
そして、この実施例においては、図１の部分拡大図に示すように、折り目１２を介して枠形成部１３を折り曲げて枠を形成した際、それぞれ、当接面を形成するＶ字状溝の両側面には、それぞれ、凹条１４１と凸条１４２を形成することができる。　もちろん、汁を含まない寿司のような加工食品のための容器の場合には、この凹凸条の形成は必要としないのは当然である。
【００１５】
図２は、図１のＡ−Ａ線によるシート材１のＶ字状溝からなる折り目１２の断面構造と、この折り目１２を介して枠形成部１３を折り曲げ立ち上げた際の凹凸条１４の嵌合状態を示す。　同図に示すように、折り目１２を構成する断面が９０度の溝の両溝面１２１には、それぞれ、嵌合のための凹条１４１と凸条１４２が設けられている。　そして、同図の矢印に示すように、この折り目１２を介して枠部材１３を立ち上げた際には、凹条１４１と凸条１４２が嵌合して、凹条と凸条との嵌合部１４を形成する。
【００１６】
また、図３は、図１のＢ−Ｂ線による枠形成部１３の端部の断面構造と、この枠形成部１３を立ち上げて容器枠とした部分を容器の上から見た断面構造を示す。
【００１７】
枠形成部１３の両端面１３１には４５度の傾斜面が形成されており、傾斜面には凸条が折り目１２と連続して設けられることになる。この枠形成部１３を図１に示す状態から立ち上げて、図３の矢印に示すように、それぞれの端面１３１を当接したときには、枠形成部１３の端部は、この凸条を有する枠コーナー部が形成される。
【００１８】
図４は、図１に示すシート材１から、枠形成部１３を立ち上げたのち、各枠のコーナーを嵌合部材２を上方から嵌合して作り上げた簡易容器１０を示す。
【００１９】
図５（ａ）はこの嵌合部材２の俯瞰図であり、同（ｂ）は断面を示す。　この図に示す嵌合部材２は、それぞれ、コーナー部で当接する枠の内外面と接する外面２１と内面２２を有し、下面が開放した断面がコの字形をなし、コーナー部に当接する枠に上方から嵌合して枠を固定する。頂面２３の内面には下向きに、折れ防止のために、根本部分を太くした複数の突起２４が形成されており、嵌合時に、枠のコーナー部の頂面に突き刺して固定される。そして、この嵌合部材２は、枠コーナーに嵌合する際の嵌合作業の便利なように、外面２１を内面２２よりも長く形成している。
【００２０】
また、図６は、図５に示す嵌合部材の変更例２０を示す。　この例の場合、図５に示す例と同様に、コーナー部で当接する枠の内外面と接する外面２１と内面２２を有し、頂面２３の内面には複数の突起２４が形成されているものではあるが、内面２２にはコーナー部分に沿って先端を鋭角に形成した延長部２１１が設けられている。そして、その延長部２１１が図４に示す枠１３と底面１１の接する位置にまで達する長さにすることによって、枠コーナー部にこの嵌合部材を嵌合した際には、コーナーの枠の接合部分をカバーし、簡易容器のシール性を高めることができる。
【００２１】
【発明の効果】
本発明によって、一枚のシート材を折り曲げて組み立てたものでありながら、従来の熱融着によって得られる加工食品簡易容器と同様の機能を有する形状保持性と強度とシール性を有する簡易容器が得られる。
【００２２】
さらに、本発明の加工食品用簡易容器は、前記従来の熱融着によって組み立てられたもの以上に簡単に作成できる。
【図面の簡単な説明】
【図１】簡易容器構成用のシート材を示す。
【図２】折り目部分の当接面にシール用の凹凸条を形成した例を示す。
【図３】枠コーナー部の当接面に凸条を形成した例を示す。
【図４】本発明に係る簡易容器を示す。
【図５】嵌合部材の第１の実施例を示す。
【図６】嵌合部材の第２の実施例を示す。
【符号の説明】
１　シート材
１１　底面部　　１２　折り目　　１３　枠形成部
１４　凹凸条
２，２０　嵌合部材
２１　外面　　２２　内面　　２３　頂面　　２４　突起
２１１　内面延長部
【図１】
2004083019.tif 000003
【図２】
2004083019.tif 000004
【図３】
2004083019.tif 000005
【図４】
2004083019.tif 000006
【図５】
2004083019.tif 000007
【図６】
2004083019.tif 000008